(57)【特許請求の範囲】
【請求項１】
口金側端部（１０１）と反口金側端部（１０２）と口金側端部（１０１）に一体成形された管状延長部（１１８）とを備えた両端密封形発光管（１００）、発光性のガス放電を発生するための少なくとも二つの電極（１０４、１０５）、発光管（１００）に固定されてこの発光管（１００）を少なくとも部分的に包囲し発光管（１００）の管状延長部（１１８）を間隔を隔てて包囲している管状延長部（１１９）を有する外管（１１６）、第１の口金電気接触片（１１２）と第２の口金電気接触片（１１３）とを備えた電気絶縁材料から成り外管の管状延長部（１１９）が固定される受け装置を有している口金（１１０、１１１）、発光管（１００）の口金側端部（１０１）から導き出され発光管の管状延長部（１１８）の内部を延び第１の電極（１０５）を第１の口金電気接触片（１１２）に導電的に接続する口金側リード（１０８）、および発光管（１００）の反口金側端部（１０２）から導き出され第２の電極（１０４）を外管（１１６）の外を延びて口金（１１０、１１１）に戻るリード（１１５）を介して第２の口金電気接触片（１１３）に導電的に接続する反口金側リード（１０９）を備えている片口金形高圧放電ランプにおいて、受け装置が、口金（１１０、１１１）に一体成形され発光管（１００）の管状延長部（１１８）と外管（１１６）の管状延長部（１１９）との間に位置しこの外管の管状延長部（１１９）の内側面に接するカラー（１２５）を有していることを特徴とする片口金形高圧放電ランプ。
【請求項２】
カラー（１２５）が発光管（１００）の管状延長部（１１８）の外側面に接していることを特徴とする請求項１記載の片口金形高圧放電ランプ。
【請求項３】
受け装置が外管（１１６）の管状延長部（１１９）に対する奥行きストッパとして使用される環状凹所を有していることを特徴とする請求項１記載の片口金形高圧放電ランプ。
【請求項４】
口金（１１０、１１１）が電気絶縁材料から成る口金シェル（１１０）および電気絶縁材料から成る口金内側部品（１１１）を有し、口金内側部品（１１１）が金属部品（１２１、１２２、１２３）によって口金シェル（１１０）に固定されていることを特徴とする請求項１記載の片口金形高圧放電ランプ。
【請求項５】
受け装置が口金内側部品（１１１）内に配置されていることを特徴とする請求項３記載の片口金形高圧放電ランプ。
【請求項６】
口金（１１０、１１１）がリード（１１５）のための受け装置を有していることを特徴とする請求項１記載の片口金形高圧放電ランプ。
【請求項７】
リード（１１５）が少なくとも部分的にセラミック管（１１４）によって包囲されていることを特徴とする請求項６記載の片口金形高圧放電ランプ。
【請求項８】
セラミック管（１１４）によって包囲されているリード（１１５）の一部が口金内側部品（１１１）の絶縁材料で包囲されていることを特徴とする請求項７記載の片口金形高圧放電ランプ。
【発明の詳細な説明】
【０００１】
【発明の属する技術分野】
本発明は特許請求の範囲の請求項１の前文に記載の片口金形高圧放電ランプに関する。
【０００２】
【従来の技術】
この種の高圧放電ランプは例えばヨーロッパ特許出願公開第０７８６７９１号明細書に開示されている。そこに記載された高圧放電ランプは口金シェルと口金内側部品とから構成された口金を有し、その口金シェルおよび口金内側部品はそれぞれ電気絶縁性プラスチックから成り、二つの金属部品によって互いに固定されている。その高圧放電ランプは更に口金側端部と反口金側端部と管状延長部とを備えた両端密封形発光管を有し、その管状延長部は口金側端部に一体成形されている。その発光管はこれに融着され管状延長部を有する外管によって包囲されている。その外管の管状延長部は発光管の管状延長部を間隔を隔てて包囲している。発光管と外管とから成る構造ユニットはバルブ管状延長部によってこの外管の管状延長部にぴったり合わされた口金内側部品の凹所に固定されている。発光管の内部に配置されガス放電を発生するために使用する電極は二つのリードによって給電される。その口金側リードは発光管の管状延長部内を延び、反口金側リードは口金に戻るリードに接続されている。口金に戻るリードは部分的にセラミック管によって包囲され、一端が口金の別の凹所内に固定されている。
【０００３】
【発明が解決しようとする課題】
本発明の課題は、口金が大きな耐高電圧性とランプ管の改良された受け装置とを有する片口金形高圧放電ランプを作ることにある。
【０００４】
【課題を解決するための手段】
この課題は、本発明に基づいて、受け装置が、口金に一体成形され発光管の管状延長部と外管の管状延長部との間に位置しこの外管の管状延長部の内側面に接するカラーを有することによって解決される。本発明の特に有利な実施態様は各従属請求項に記載されている。
【０００５】
本発明に基づく片口金形高圧放電ランプは、口金側端部に管状延長部が一体成形され発光性のガス放電を発生するための電極が内部に配置されている両端密封形発光管を有している。それらの電極はそれぞれ発光管から導き出されたリードに導電的に接続されている。その発光管はこれに固定され管状延長部を有する外管によって包囲されている。外管の管状延長部は発光管の管状延長部を間隔を隔てて包囲している。本発明に基づく高圧放電ランプの口金は、外管の管状延長部のための受け装置を有している。本発明に基づいてこの受け装置に、口金に一体成形され発光管の管状延長部と外管の管状延長部との間に位置しこの外管の管状延長部の内側面に接するカラーが配置されている。このカラーは発光管と外管とから成る構造ユニットをランプの口金内に確実に心合わせする。更に電気絶縁材料から成るカラーは発光管の管状延長部内を延びる口金側リードの電気絶縁性を改善し、これによって口金の耐高電圧性を高める。口金側リードの電気絶縁性を一層改善するために、カラーが追加的に発光管の管状延長部の外側面に接していることが有利である。
【０００６】
受け装置が外管の管状延長部に対する奥行きストッパとして使用される環状凹所を備えていると有利である。これによってランプ管の組込み深さは再現可能に調整できる。本発明に基づく高圧放電ランプの口金は好適には口金シェルおよびその中に金属部品によって固定された口金内側部品から成り、その外管の管状延長部のための受け装置は有利に口金内側部品内に配置されている。この処置により、電極が内部に配置されているランプ管を口金によって規定された基準面に関して調整することができる。
【０００７】
更に本発明に基づく高圧放電ランプの口金は好適には、反口金側リードに接続され口金へ戻るリードが固定される別の受け装置を備えている。口金へ戻るリードは好適には電気絶縁の目的で部分的にセラミック管によって包囲されている。更に好適にはそのセラミック管によって包囲されたこの戻りリードの一部は、この戻りリードの電気絶縁性がこれを包囲する口金内側部品の絶縁材料によって一層改善されるようにその別の受け装置の中に配置されている。
【０００８】
【発明の実施の形態】
以下図に示した有利な実施例を参照して本発明を詳細に説明する。
【０００９】
図示の有利な実施例は自動車の前照灯に利用するために考慮されている片口金形高圧放電ランプである。このランプは気密に閉じられた放電室１０３、口金側圧潰端部１０１および反口金側圧潰端部１０２を備えた管形発光管１００を有している。放電室１０３の中に二つの電極１０４、１０５が突入している。これらの電極１０４、１０５はそれぞれ圧潰端部１０１ないし１０２から導き出されているリード１０８、１０９に圧潰端部端１０１ないし１０２内に気密に埋設されているモリブデン箔１０６、１０７を介して導電的に接続されている。ランプ口金はプラスチック射出成形品から成っている口金シェル１１０およびこの口金シェル１１０の内部に配置され同様にプラスチック射出成形品から成っている調整可能な口金内側部品１１１を有している。口金シェル１１０は発光管１００とは反対側の端部に二つの電気接触片１１２、１１３を有している。そのうちの中央接触片１１２は口金側圧潰端部１０１から導き出されたリード１０８に導電的に接続され、別の環状電気接触片１１３はセラミック管１１４によって包囲されているリード１１５を介して反口金側圧潰端部１０２から導き出されたリード１０９に導電的に接続されている。
【００１０】
発光管１００はこの発光管１００に対してほぼ同軸的に配置された円筒状の外管１１６によって包囲されている。この外管１１６は反口金側圧潰端部１０２および口金シェル１１０の中に延びている発光管１００の管状延長部１１８に融着されている。外管１１６は発光管１００の管状延長部１１８を部分的に包囲する管状延長部１１９を備えている。高圧放電ランプに口金を付けるために、外管１１６の管状延長部１１９は、口金内側部品１１１の凹所として形成された受け装置の中に、口金内側部品１１１に一体化され外管１１６の管状延長部１１９を包囲する金属スリーブ１２０によって、この金属スリーブ１２０と管状延長部１１９との間に位置するプラスチック１２７が溶融するように金属スリーブ１２０が高周波誘導加熱によって加熱されることにより封着される。口金内側部品１１１の受け装置は口金内側部品１１１に一体成形された環状のカラー１２５を有している。このカラー１２５は外管１１６の管状延長部１１９の内側面並びに発光管１００の管状延長部１１８の外側面に接している。カラー１２５は口金内側部品１１１と共に受け装置の範囲において外管１１６の管状延長部１１９に対する奥行きストッパとして使用される環状凹所を形成している。
【００１１】
口金シェル１１０はポット状に形成されている。口金内側部品１１１は完全に口金シェル１１０の内部１１７に配置されている。口金内側部品１１１の外側壁は口金内側部品１１１に固定され部分的に口金内側部品１１１を包囲する環状金属部品１２１によって形成されている。ポット状口金シェル１１０の側壁に金属リング１２２が埋設され、この金属リング１２２には四つの溶接舌片１２３が一体成形されている。これらの四つの溶接舌片１２３はそれぞれ口金シェル１１０の内部１１７の中に突入し、口金内側部品１１１を口金シェル１１０の中にはめ込んだ際および続いてランプの調整中に口金内側部品１１１の環状金属部品１２１に弾力的に接する。その調整終了後に溶接舌片１２３は環状金属部品１２１に溶接され、これによって口金内側部品１１１および口金シェル１１０が調整された位置において互いに結合される。溶接舌片１２３に溶接工具が接近できるようにするために、口金シェル１１０の壁は溶接舌片１２３の範囲にそれぞれ貫通開口１２４を有している。
【００１２】
図において四つの溶接舌片１２３の１つはこれがここで選択された面において通常は環状金属部品１２１で覆われるので破線で示されている。環状金属部品１２１と金属スリーブ１２０とは口金内側部品１１１に環状溝を画成しており、この環状溝の中に金属スリーブ１２０を高周波誘導加熱するために一時的にコイル（図示せず）がはめ込まれる。溶接舌片１２３は金属リング１２２から折り曲げて形成され、口金シェル１１０の内部１１７に突入している。ポット状口金シェル１１０の側壁は溶接舌片１２３の範囲にそれぞれ貫通開口１２４を有している。
【００１３】
口金内側部品１１１はさらにリード１１５のための貫通開口として形成された別の受け装置を有している。この受け装置の中にセラミック管１１４で包囲されたリード１１５の一部が配置され、これによって口金内側部品１１１の絶縁材料が口金内に配置された別の金属部品に対してリード１１５を良好に電気絶縁する。
【図面の簡単な説明】
【図１】本発明の有利な実施例における片口金形高圧放電ランプの一部断面側面図。
【符号の説明】
１００    発光管
１０１    口金側圧潰端部
１０２    反口金側圧潰端部
１０３    放電室
１０４    電極
１０５    電極
１０８    リード
１０９    リード
１１０    口金シェル
１１１    口金内側部品
１１６    外管
１１８    発光管の管状延長部
１１９    外管の管状延長部
１２１    環状金属部品
１２２    金属リング
１２３    溶接舌片
１２５    カラー
【図１】
0004124532.tif 000002